(57)【要約】      （修正有）【課題】洗面ボウルの洗浄時間が節約できると共に洗面ボウルの洗浄を省力化し、より簡単に洗面ボウルのボウル部の清潔基準を確保できる洗浄機能付き洗面台装置を提供する。【解決手段】洗面ボウル１と複数の吐水口１４とボウル部１１からなる洗浄機能付き洗面台装置であって、洗面ボウルがボウル部に設置される排水口１２を備え、排水口に排水ドレーン１３が連通され、複数の吐水口が洗面ボウルのボウル部の上縁に沿って周設され、複数の吐水口が給水部と連接することを特徴とする。【選択図】図１
0003197536.tif 000002
【実用新案登録請求の範囲】
【請求項１】
洗面ボウルと複数の吐水口とボウル部からなる洗浄機能付き洗面台装置であって、
前記洗面ボウルが前記ボウル部に設置される排水口を備え、前記排水口に排水ドレーンが連接され、前記複数の吐水口が前記洗面ボウルの前記ボウル部の上縁に沿って周設され、前記複数の吐水口が給水部と連接する洗浄機能付き洗面台装置。
【請求項２】
さらに濾過部と、加熱部と及び加圧部を有し、前記濾過部が前記給水部に連通され、前記加熱部が前記濾過部に伝熱接続され、前記加熱部と複数の吐水口の間に前記加圧部が連通される請求項１に記載の洗浄機能付き洗面台装置。
【請求項３】
さらに使用状態検出部を有し、前記使用状態検出部が液弁と水流検出器からなり、前記使用状態検出部が前記排水ドレーンに設置されると共に前記給水部と電気的に接続され、前記水流検出器が前記液弁と電気的に接続され、前記使用状態検出部が前記液弁の開閉状態及び前記水流検出器の水流検出状態から使用状態情報を生成し、前記使用状態情報により前記給水部を開閉させる請求項１に記載の洗浄機能付き洗面台装置。
【請求項４】
前記洗面ボウルの前記ボウル部の上縁に沿って周設する環状溝と、前記環状溝に嵌入され片側が前記給水部と連接される連通配管を有し、前記連通配管の管壁に前記複数の吐水口が設けられる請求項１に記載の洗浄機能付き洗面台装置。
【請求項５】
前記洗面ボウルの前記ボウル部の上縁に沿って周設する環状溝を有し、前記環状溝の壁面に前記複数の吐水口が設けられ、前記環状溝の底側に溝が設けられる請求項１に記載の洗浄機能付き洗面台装置。
【請求項６】
前記洗面ボウルの前記ボウル部の上縁に沿って延長凸部が周設され、前記延長凸部の底側に前記複数の吐水口が設けられる請求項１に記載の洗浄機能付き洗面台装置。
【考案の詳細な説明】
【技術分野】
【０００１】
本考案は、衛生設備に関するもので、特に洗浄機能付き洗面台装置に関する。
【背景技術】
【０００２】
浴室は毎日自分の身と心を洗浄する場所であり、一日の始まりや終わりがこれらの衛生設備と伴ってくると言える。その中でも洗面台は最も使用率が高い衛生設備であり、歯磨きは勿論、洗面などの清潔関連行動も洗面台で行う。ところが、洗面台の使用頻度が増すと、水垢、石鹸カス、歯磨き粉など様々の汚れが洗面台に付着し、そのまま放置して時間をおくと洗面台は不潔で見た目が悪く不快な臭いを生成するという使用問題を引き起こす。
【考案の概要】
【考案が解決しようとする課題】
【０００３】
一般的には、蛇口の吐水口下方のボウル部の他に、汚れが通常ボウル部の残りの部分に溜まり易い。それ故ボウル部の汚れを取る為さらなる時間と労力を費やす必要がある。また、洗面台が主にセラミック材料であり、ボウル部に釉掛けで保護されているので、ブラッシング時にさらにボウル部を傷つけることも考えられ、釉薬を無くしたセラミックはひび割れしやすい。したがって、洗面台を使用すると危険が生じ、洗面台の使用寿命も削減することとなる。
【０００４】
それ故、本考案は、上記従来洗面台の問題を鑑みて考え出されたものであり、ボウル部を洗浄することのできる洗浄機能付き洗面台装置を提供することを目的とする。
【課題を解決するための手段】
【０００５】
従来技術の問題を解決する為に、洗面ボウルと複数の吐水口とボウル部からなる洗浄機能付き洗面台装置であって、前記洗面ボウルが前記ボウル部に設置される排水口を備え、前記排水口に排水ドレーンが連接され、前記複数の吐水口が前記洗面ボウルの前記ボウル部の上縁に沿って周設され、前記複数の吐水口が給水部と連接する洗浄機能付き洗面台装置を提供する。
【０００６】
本考案に係る洗浄機能付き洗面台装置は、さらに濾過部と、加熱部と及び加圧部を有し、前記濾過部が前記給水部に連通され、前記加熱部が前記濾過部に伝熱接続され、前記加熱部と複数の吐水口の間に前記加圧部が連通されることが好ましい。
【０００７】
本考案に係る洗浄機能付き洗面台装置は、さらに使用状態検出部を有し、前記使用状態検出部が液弁と水流検出器からなり、前記使用状態検出部が前記排水ドレーンに設置されると共に前記給水部と電気的に接続され、前記水流検出器が前記液弁と電気的に接続され、前記使用状態検出部が前記液弁の開閉状態及び前記水流検出器の水流検出状態から使用状態情報を生成し、前記使用状態情報により前記給水部を開閉させることが好ましい。
【０００８】
本考案に係る洗浄機能付き洗面台装置は、前記洗面ボウルの前記ボウル部の上縁に沿って周設する環状溝と、前記環状溝に嵌入され片側が前記給水部と連接される連通配管を有し、前記連通配管の管壁に前記複数の吐水口が設けられていることが好ましい。
【０００９】
本考案に係る洗浄機能付き洗面台装置は、前記洗面ボウルの前記ボウル部の上縁に沿って周設する環状溝を有し、前記環状溝の壁面に前記複数の吐水口が設けられ、前記環状溝の底側に溝が設けられていることが好ましい。
【００１０】
本考案に係る洗浄機能付き洗面台装置は、前記洗面ボウルの前記ボウル部の上縁に沿って周設する延長凸部を有し、前記延長凸部の底側に前記複数の吐水口が設けられていることが好ましい。
【考案の効果】
【００１１】
本考案の技術手段によれば、給水部が洗面ボウルのボウル部の上縁に沿って周設された複数の吐水口から水が吐出し、吐出する水流の勢いで洗面ボウルのボウル部を洗浄することにより、汚れが洗面ボウルのボウル部中に蓄積しにくくなる。上記構成によれば、本考案の洗浄機能付き洗面台装置はより簡単に洗面ボウルの清潔基準を確保し、且つ洗面ボウルの洗浄時間を節約すると共に洗面ボウルの洗浄を省力化し、より快適に衛生環境の使用を提供することができる。
【図面の簡単な説明】
【００１２】
【図１】本考案の第一実施例に係る洗浄機能付き洗面台装置を示す図である。
【図２】本考案の第一実施例に係る洗浄機能付き洗面台装置を示す俯視図である。
【図３】本考案の第一実施例に係る洗浄機能付き洗面台装置を示すブロック図である。
【図４】本考案の第二実施例に係る洗浄機能付き洗面台装置を示す図である。
【図５】本考案の第二実施例に係る洗浄機能付き洗面台装置を示す俯視図である。
【図６】本考案の第二実施例に係る洗浄機能付き洗面台装置を示すブロック図である。
【図７】本考案の第三実施例に係る洗浄機能付き洗面台装置を示す側視図である。
【図８】本考案の第四実施例に係る洗浄機能付き洗面台装置を示す側視図である。
【図９】本考案の第五実施例に係る洗浄機能付き洗面台装置を示す側視図である。
【考案を実施するための形態】
【００１３】
図１から図３に示すように、本考案の第一実施例に係る洗浄機能付き洗面台装置１００は洗面ボウル１と複数の吐水口１４とボウル部１１からなり、前記洗面ボウル１が前記ボウル部１１に設置される排水口１２を備え、前記排水口１２に排水ドレーン１３が連接され、前記複数の吐水口１４が前記洗面ボウル１の前記ボウル部１１の上縁に沿って周設され、前記複数の吐水口１４が給水部Ｓと連接する。その中に洗面台装置１００は前記洗面ボウル１に設置される蛇口部２を有し、前記蛇口部２が蛇口本体２１と蛇口吐水口２２を有している。本実施例中では、前記蛇口本体２１の蛇口吐水口２２が前記給水部Ｓと連通され、即ち、前記蛇口本体２１及び前記複数の吐水口１４の両方の水源とも前記給水部Ｓである。他の実施例中では、前記蛇口本体２１の蛇口吐水口２２も他の給水部と連接しても良い。したがって、前記蛇口本体２１の水源及び前記複数の吐水口１４の水源をそれぞれ独立に設置させてもよい。
【００１４】
本実施例中では、前記洗面ボウル１の内槽に囲まれて連通配管１５が形成され、前記連通配管１５の片側が前記給水部Ｓと連接され、且つ前記連通配管１５の管壁及び前記複数の吐水口１４が互いに連通されている。これによって、前記給水部Ｓの水が前記連通配管１５に通じて前記複数の吐水口１４から吐出されるが、これに限定するものではなく、前記複数の吐水口１４が前記連通配管１５を通さずに直接前記給水部Ｓと連接してもよい。前記複数の吐水口１４が前記ボウル部１１の上縁に設けられているため、前記複数の吐水口１４から流出した水がより大きな重力位置エネルギーによって優れた洗浄力で洗浄を行うことができ、且つ水流が簡単に前記ボウル部１１の全体に流れることによって前記ボウル部１１の汚れを前記排水口１２の中に排出し前記排水ドレーン１３に流れ込む。前記複数の吐水口１４が前記ボウル部１１の弧度及び前記吐水口１４の孔仕様に応じてそれぞれの吐水口１４間の距離を設定し、前記ボウル部１１の上縁に沿って周設されるのが好ましい。これによって、水流が均等に前記ボウル部１１の全体に流れることで優れた洗浄機能が得られる。
【００１５】
上記構成によって、前記給水部Ｓの水が前記洗面ボウル１のボウル部１１に周設された複数の吐水口１４から吐出され、水流の勢いで洗面ボウル１のボウル部１１を洗浄することで汚れを堆積し難くする。これによって、本考案の洗浄機能付き洗面台装置１００が洗面ボウル１の洗浄時間が節約できると共に洗面ボウル１の洗浄を省力化し、より簡単に洗浄機能付き洗面台装置１００の清潔基準が確保できる。
【００１６】
図３が示すように、第一実施例に係る洗浄機能付き洗面台装置１００はさらに濾過部４、加熱部５及び加圧部６を有し、前記濾過部４が前記給水部Ｓに連通され、前記加熱部５が前記濾過部４に接続され、前記加熱部５と複数の吐水口１４の間に前記加圧部６が連接される。前記濾過部４が濾過機能を有する構造であり、前記加熱部５が熱を供給する構造であり、前記加圧部６が高圧ポンプまたはモーターである。前記濾過部４が先に前記給水部Ｓの水中の不純物を濾過させることによって、ボウル部１１を洗浄する洗浄水がボウル部１１に水垢を形成することが困難になる。濾過させた洗浄水が前記加熱部５を介して加熱することでより簡単にボウル部１１に付着した水垢を溶融除去できる。洗浄水が前記加圧部６を介して加圧されると前記複数の吐水口１４から吐出し、さらにボウル部１１に与える洗浄力を強化させる。上記構成によって、さらに洗面台装置１００のボウル部１１の洗浄機能が強化できる。但し前記濾過部４、前記加熱部５及び前記加圧部６を共に設置しなくてもよい。ユーザの必要に応じてコストを抑えながら個別に設置してもよい。第一実施例に係る洗浄機能付き洗面台装置１００がさらに洗浄剤収納部７を有し、前記洗浄剤収納部７が洗浄剤輸送口２３に連通設置される。前記洗浄剤収納部７が洗浄剤を収納すると共に輸送させる。本実施例中では、前記洗浄剤収納部７が前記複数の吐水口１４と連通し、前記複数の吐水口１４を洗浄剤輸送口２３として使用する。其々の吐水口１４の内側には洗浄剤輸送口と清水輸送口が含まれる。前記清水輸送口が前記洗浄剤輸送口の上側に設置され、清水及び洗浄剤を前後に噴射するとともに前記清水輸送口の水で前記洗浄剤輸送口を洗浄させる。これによって、洗浄剤が給水部Ｓの出水に併せて前記複数の吐水口１４から前記ボウル部１１に流出し、前記ボウル部１１に対する洗浄効果を向上させることができる。
【００１７】
図４から図６に示すように、本考案の第二実施例に係る洗浄機能付き洗面台装置１００aは第一実施例に係る洗浄機能付き洗面台装置１００と似ている。違いについては後述する。先ず、図５が示すように、第二実施例の洗面台装置１００aの蛇口本体２１がさらに洗浄剤輸送口２３及びタッチコントロールパネル２４を含む。前記洗浄剤輸送口２３及び前記蛇口吐水口２２が前記蛇口本体２１に設置される箇所は同じ側である。前記洗浄剤輸送口２３が前述の洗浄剤収納部７と直接連接してもよい。前記複数の吐水口１４から水を吐出する場合は、洗浄剤が前記洗浄剤輸送口２３により前記ボウル部１１に噴射される。前記洗浄剤輸送口２３を個別で前記蛇口吐水口２２の前後左右に設置させるのも好ましい。これによって、洗浄剤を均等に前記ボウル部１１に噴射することもできる。前記洗浄剤輸送口２３及び前記洗浄剤収納部７の間に加圧部を設置させるのも好ましい。前記加圧部によって前記洗浄剤収納部７に収納した洗浄剤をより大きな範囲で前記ボウル部１１に噴射することができる。前記タッチコントロールパネル２４が前記蛇口本体２１に設置されると共に前記給水部Ｓと連接される。これによって、使用者が前記タッチコントロールパネル２４を通じて前記給水部Ｓを操作し、例えば前記給水部Ｓを開放させて前記複数の吐水口１４から水を吐出させることによりボウル部１１を洗浄させる。
【００１８】
本考案の第二実施例の洗面台装置１００aがさらに使用状態検出部８を有する。前記使用状態検出部８が前記排水ドレーン１３内に設置されると共に前記給水部Ｓと連接される。前記使用状態検出部８が液弁８１と水流検出器８２からなり、前記水流検出器８２が前記液弁８１と電気的に接続され、前記使用状態検出部８が前記液弁８１の開閉状態及び前記水流検出器８２の水流検出状態から使用状態情報を生成し、前記使用状態情報により前記給水部Ｓを開閉させる。すなわち、前記使用状態検出部８が現在洗面台装置１００aの使用状態を検知させる。例えば、ある人が洗面台装置１００aを使って洗顔すると、液弁８１を閉じて蓄水し、洗顔終わった後液弁８１を開けると水流が前記排水ドレーン１３内に設置された水流検出器８２に流れる。水流が止まると、前記使用状態検出部８が前記液弁８１の開閉状態及び前記水流検出器８２の水流検出状態から洗顔終了の動作を確認し、確認した上で前記給水部Ｓを開放させることによりボウル部１１の汚れを洗浄させる。
【００１９】
本考案の第二実施例の洗面台装置１００aがさらに洗面ボウル１に設置される近接センサ９を有する。前記近接センサ９が近接検出エリアを有し、前記近接センサ９が前記近接検出エリアと対応する被反応体により近接反応情報を生成させる。前記使用状態検出部８及び前記近接センサ９を設置することにより、洗面台装置１００aが状況に応じて自動的にボウル部１１を洗浄し、より便利に使用することができる。
【００２０】
本考案の第二実施例の洗面台装置１００aがさらに警報部１６を有する。前記警報部１６が前記洗面ボウル１の近接センサ９に連接設置及び/又は前記排水ドレーン１３内の使用状態検出部８に設置される。前記警報部１６が前記近接センサ９の近接反応情報及び/又は前記使用状態検出部８の使用状態情報に対応することで警報情報を生成させる。洗面台装置１００aが自動的にボウル部１１を洗浄する時、ある人が洗面ボウル１に近づいたり蛇口部２を開けたりすると、前記警報部１６が鳴ることで使用者に現在洗浄中であることを示す。また、洗面台装置１００aが定時部（図示せず）を含んでもよい。前記定時部が前記使用状態検出部８及び前記給水部Ｓに連接すると共にプリセット時間値が記憶される。前記定時部が前記プリセット時間値及び前記使用状態情報に対応することで前記給水部Ｓを開閉させる。これによって、前記定時部が前記プリセット時間値を過ぎても前記使用状態情報が受信されていない場合、前記洗面台装置１００aが未使用中且つボウル部１１の洗浄も行われていないこと示す。この時前記給水部Ｓを起動させてボウル部を洗浄させることによってボウル部１１のほこりを除去し、さらに前記洗面台装置１００aの清潔基準を維持させることができる。
【００２１】
図７に示すように、本考案の第三実施例に係る洗浄機能付き洗面台装置１００ｂは第一実施例に係る洗浄機能付き洗面台装置１００と似ている。その違いは前記洗面ボウル１の前記ボウル部１１の上縁に沿って環状溝１１１ｂが周設されると共に連通配管１５に嵌入され、前記連通配管１５の片側が前記給水部Ｓと連接し、且つ前記連通配管１５の管壁に前記複数の吐水口１４が設けられていることである。これによって、前記第一実施例の洗面台装置１００の効果を有する以外にも、前述した連通配管１５が取り外せるという利便性をも有する。
【００２２】
図８に示すように、本考案の第四実施例に係る洗浄機能付き洗面台装置１００ｃは第一実施例に係る洗浄機能付き洗面台装置１００と似ている。その違いは前記洗面ボウル１の前記ボウル部１１の上縁に沿って環状溝１１１ｃが周設され、且つ前記環状溝１１１ｃの壁面に前記複数の吐水口１４が設けられていることである。前記環状溝１１１ｃの底側に溝１１１１が設けられることによって、清水又は/及び洗浄剤をオーバーフローの方法で前記ボウル部１１を洗浄させる。これによって、前記第一実施例の洗面台装置１００の効果を有する以外にも、全面的にボウル部を洗浄する効果をも有する。
【００２３】
図９に示すように、本考案の第五実施例に係る洗浄機能付き洗面台装置１００ｄは第一実施例に係る洗浄機能付き洗面台装置１００と似ている。その違いは前記洗面ボウル１の前記ボウル部１１の上縁に沿って延長凸部１１２が周設され、即ち前記ボウル部１１が最初に成形されたとき既に前記延長凸部１１２を有することである。例えばセラミックス焼結された後一体成形させ、かつ前記延長凸部１１２の底側に前記複数の吐水口１４を設ける。これによって、前記ボウル部１１が前記第一実施例の洗面台装置１００の効果を有する以外にも、より頑丈で美観の効果を有する。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の調節や修正を加えることができる。従って、本考案の特許請求の範囲は、このような調節や修正を含めて広く解釈されるべきである。
【符号の説明】
【００２５】
１００、１００ａ、１００ｂ、１００ｃ、１００ｄ  洗浄機能付き洗面台装置
１  洗面ボウル
１１  ボウル部
１１１ｂ、１１１ｃ  環状溝
１１１１  溝
１１２  延長凸部
１２  排水口
１３  排水ドレーン
１４  吐水口
１５  連通配管
１６  警報部
２  蛇口部
２１  蛇口本体
２２  蛇口吐水口
２３  洗浄剤輸送口
２４  タッチコントロールパネル
４  濾過部
５  加熱部
６  加圧部
７  洗浄剤収納部
８  使用状態検出部
８１  液弁
８２  水流検出器
９  近接センサ
Ｓ  給水部
【図１】
0003197536.tif 000003
【図２】
0003197536.tif 000004
【図３】
0003197536.tif 000005
【図４】
0003197536.tif 000006
【図５】
0003197536.tif 000007
【図６】
0003197536.tif 000008
【図７】
0003197536.tif 000009
【図８】
0003197536.tif 000010
【図９】
0003197536.tif 000011